(57)【要約】【課題】他の高圧放電灯を消灯させることなしに、高圧放電灯を交換し、交換完了後は自動的に再点灯する高圧放電灯点灯装置を提供する。【解決手段】電源４に並列に接続された複数の放電灯点灯回路３と、この放電灯回路３に各々接続された高圧放電灯１と、この高圧放電灯１のソケット２への着脱を検出する高圧放電灯装着検出端子２Ａ、２Ｂと、高圧放電灯１が異常と判定されたときに高圧放電灯１を消灯し待機状態とする保護手段とを備え、高圧放電灯１が異常と判定されて待機状態のときに、高圧放電灯検出端子２Ｂの電圧によりソケット２からの高圧放電灯１の脱着を検出し、再びソケットへの高圧放電灯の装着を検出したときに、あらかじめ定められた時間の経過後に高圧放電灯１を始動させる。【選択図】　　　　図１
2004146119.tif 000002
【特許請求の範囲】
【請求項１】
電源に並列に接続された複数の放電灯点灯回路と、この放電灯回路に各々接続された高圧放電灯と、この高圧放電灯のソケットへの着脱を検出する着脱検出手段と、前記高圧放電灯が異常と判定されたときに前記高圧放電灯を消灯し待機状態とする保護手段とを有する高圧放電灯点灯装置において、
前記高圧放電灯が異常と判定されて待機状態のときに、前記着脱検出手段によりソケットからの前記高圧放電灯の脱着を検出し、再び前記ソケットへの高圧放電灯の装着を検出したときに、あらかじめ定められた時間の経過後に前記高圧放電灯を始動させることを特徴とする高圧放電灯点灯装置。
【請求項２】
電源に並列に接続された複数の放電灯点灯回路と、この放電灯回路に各々接続された高圧放電灯と、この高圧放電灯のソケットへの着脱を検出する着脱検出手段と、この着脱検出手段により前記高圧放電灯が装着されていないと判断されたときに、電源が投入されても、前記高圧放電灯を始動させずに待機状態とする保護手段とを有する高圧放電灯点装置において、
前記高圧放電灯が装着されていないと判断され前記高圧放電灯を始動させずに待機状態のときに、前記着脱検出手段によりソケットへの前記高圧放電灯の装着を検出したときに、あらかじめ定められた時間の経過後に前記高圧放電灯を始動させることを特徴とする高圧放電灯点灯装置。
【請求項３】
待機状態から始動動作を開始するまでのあらかじめ定められた時間は、高圧放電灯をソケットに装着した作業者の手が前記高圧放電灯から十分に離れる時間とすることを特徴とした請求項１または請求項２記載の高圧放電灯点灯装置。
【請求項４】
電源に並列に接続された複数の放電灯点灯回路と、この放電灯回路に各々接続された高圧放電灯と、この高圧放電灯のソケットへの着脱を検出する着脱検出手段とを有する高圧放電灯点装置において、
前記着脱検出手段を、前記高圧放電灯が装着されたときに前記高圧放電灯点灯回路に前記電源を供給するようにしたことを特徴とする高圧放電灯点灯装置。
【請求項５】
脱着検出手段は、ソケットの底部に設けられ、高圧放電灯の底部電極と接触する電力端子に絶縁体を介して設けられた導電体が接触することにより短絡する２つの検出端子を備え、
電源が前記２つの検出端子を介して前記高圧放電灯点灯回路に接続されたことを特徴とする請求項４記載の高圧放電灯点灯装置。
【発明の詳細な説明】
【０００１】
【発明の属する技術分野】
この発明は高圧放電灯の交換を検出して自動的に再点灯する高圧放電灯点灯装置に関するものである。
【０００２】
【従来の技術】
放電ランプ　の点灯時間を積算する点灯時間積算回路を設け、この点灯時間積算回路　による積算点灯時間の所定値への到達に応答して放電ランプの点灯を停止させ、ランプ寿命を簡単かつ正確に検出することができるようにしている（例えば特許文献１）。
【０００３】
【特許文献１】
特開平６−２７５３９０号公報（段落００１３ー００１６、図１）
【０００４】
【発明が解決しようとする課題】
従来例では点灯時間が所定値に達して放電灯を停止するものであるが、この場合、電源スイッチ等で直流電源を切り離して、高圧放電灯を交換後、再び電源スイッチを投入しないと再び始動しない。
また、点灯積算時間で停止した場合以外の放電灯異常で停止した場合も同様に電源スイッチを切り、高圧放電灯を交換後、再び電源スイッチを投入しないと再び始動しない。高圧放電灯は、一つの電源スイッチで数台から数十台をまとめて点灯しているケースが多く、そのうちの一台の高圧放電灯を交換する場合、従来技術では、電源スイッチをオフにして、その電源スイッチに接続されている全ての高圧放電灯を消灯させた後に目的の高圧放電灯を交換しなければならないという問題があった。さらに、高圧放電灯は一度消してしまうと再点灯までに数分から数十分の時間を要してしまうので、高圧放電灯の交換直後は全ての高圧放電灯が使用不能になる状態があるという問題があった。
【０００５】
この発明は、上記のような課題を解決するためになされたもので、他の高圧放電灯を消灯させることなしに、高圧放電灯を交換し、交換完了後は自動的に再点灯する高圧放電灯点灯装置を提供することを目的とする。
【０００６】
【課題を解決するための手段】
この発明に係る高圧放電灯点灯装置は、電源に並列に接続された複数の放電灯点灯回路と、この放電灯回路に各々接続された高圧放電灯と、この高圧放電灯のソケットへの着脱を検出する着脱検出手段と、前記高圧放電灯が異常と判定されたときに前記高圧放電灯を消灯し待機状態とする保護手段とを有する高圧放電灯点灯装置において、前記高圧放電灯が異常と判定されて待機状態のときに、前記着脱検出手段によりソケットからの前記高圧放電灯の脱着を検出し、再び前記ソケットへの高圧放電灯の装着を検出したときに、あらかじめ定められた時間の経過後に前記高圧放電灯を始動させるものである。
【０００７】
【発明の実施の形態】
実施の形態１．
図１はこの発明の実施の形態１を示す高圧放電灯点灯装置のブロック図、図２は高圧放電灯点灯装置のソケットの電力端子の側面図、図３は動作を示すタイミングチャートである。
図１において、高圧放電灯点灯装置は、高圧放電灯１、はソケット２、高圧放電灯点灯回路３、商用交流電源４、電源スイッチ５から構成され、高圧放電灯点灯回路３とソケット２と高圧放電灯１で一組の放電灯点灯装置を構成しており、電源スイッチ５を共通にして複数台の放電灯点灯装置が並列に接続されている。なお、図示しないが高圧放電灯点灯回路３には高圧放電灯１が異常と判定されたときに高圧放電灯１を消灯し待機状態とする保護手段が設けられている。
【０００８】
図１のソケット２の部分は部分的にソケット内部を透視した図であり、ソケット２の内部は高圧放電灯１に電力を供給する電力端子２Ｃ、２Ｄと着脱検出手段である高圧放電灯装着検出端子２Ａ、２Ｂから構成される。これらの端子は高圧放電灯点灯回路に接続されている。高圧放電灯１をソケット２へ装着すると、電力端子２Ｄは高圧放電灯側面電極の１Ａと接触し、電力端子２Ｃは高圧放電灯底部電極１Ｂと接触して、ここから高圧放電灯１に電力が供給される。
【０００９】
図２はソケット２の電力端子２Ｃを側面から見た図であり、電力端子２Ｃは導電体２Ｃａ、絶縁体２Ｃｂ、導電体２Ｃｃから構成されている。
【００１０】
次に、動作を図１、３により説明する。図３において、同図（ａ）は電力端子２Ｃ、２Ｄ間の電圧、同図（ｂ）は高圧放電灯装着検出端子２Ｂの電圧を示す。高圧放電灯１をソケット２へ装着すると底部電極１Ｂにより電力端子２Ｃが押されて高圧放電灯装着検出端子２Ａ、２Ｂと接触する。電力端子２Ｃの高圧放電灯装着検出端子２Ａ、２Ｂ側には導電体２Ｃｃが装着されているので、これにより高圧放電灯装着検出端子２Ａ、２Ｂは短絡状態となる。
【００１１】
電源スイッチ５が閉じられると高圧放電灯点灯回路３が動作を開始し、高圧放電灯装着検出端子２Ａに５Ｖの電圧を与える。高圧放電灯装着検出端子２Ａと２Ｂが短格すると２Ｂにも５Ｖの電圧が生じる。また、短絡していないときは高圧放電灯装着検出端子２Ｂには電圧が生じない。このようにして高圧放電灯装着検出端子２Ｂの電圧の有無で高圧放電灯１の脱着を判定できる。
【００１２】
高圧放電灯点灯中、高圧放電灯点灯回路３は電力端子２Ｃ、２Ｄ間の電圧を監視する。これは高圧放電灯１の管電圧を監視していることになる。管電圧があらかじめ定められた値以上になったり、あらかじめ定められた値未満の状態が連続した場合、高圧放電灯１が異常と判定して、高圧放電灯点灯回路３の保護手段により、図３（ａ）に示すように電力端子　２Ｃ、２Ｄ間の電圧は０となり高圧放電灯１への給電を停止して（ｔ１）待機状態にする。
【００１３】
待機している間は、高圧放電灯点灯回路３の高圧放電灯検出端子２Ｂの監視を行い、図３（ｂ）に示すように高圧放電灯検出端子２Ｂの電圧が０となったとき、高圧放電灯１が脱着され高圧放電灯１が有りの状態から無しの状態になったことを検出し（ｔ２）、高圧放電灯検出端子２Ｂの電圧が５Ｖとなったとき高圧放電灯１が装着され、高圧放電灯１が再び有りの状態になったことを検出したとき、高圧放電灯点灯回路３は高圧放電灯１の交換が行われたと判定して、作業者の手がランプから十分に離れる、例えば、５秒後（Ｔ）に電力端子２Ｃ、２Ｄに高電圧の始動パルスを与え高圧放電灯１の絶縁破壊を行い、高圧放電灯１を点灯させる。点灯後は、電力端子２Ｃ、２Ｄにあらかじめ定められた電流を供給して高圧放電灯１の点灯を行う（ｔ４）。
【００１４】
以上のように、高圧放電灯１が異常と判定されて待機状態のときに、高圧放電灯検出端子２Ｂの電圧によりソケット２からの高圧放電灯１の脱着を検出し、再びソケットへの高圧放電灯の装着を検出したときに、あらかじめ定められた時間の経過後に高圧放電灯１を始動させるので、一つの電源スイッチで複数の高圧放電灯点灯装置を操作している場合、他の高圧放電灯点灯装置を消灯せずに、目的の高圧放電灯だけ交換でき、自動的に再点灯するようにできるので、いつでも高圧放電灯の交換作業が行える。
【００１５】
実施の形態２．
実施の形態１では、高圧放電灯が異常と判定されて待機状態のときの高圧放電灯の交換について示したが、本実施の形態は、高圧放電灯が装着されていないと判断されたとき、高圧放電灯を始動させずに待機状態のときの高圧放電灯の交換について示すものである。構成は実施の形態１の図１同じであり説明を省略する。
図４、５は実施の形態２の高圧放電灯点灯装置の動作を示すタイミングチャートである。
【００１６】
次に、動作について図１、図４、５により説明する。図４、５において、同図（ａ）は電力端子　２Ｃ、２Ｄ間の電圧、同図（ｂ）は高圧放電灯装着検出端子２Ｂの電圧を各々示す。
【００１７】
電源スイッチ５が閉じられて、商用交流電源４から高圧放電灯点灯回路３に電力が供給され、図４（ｂ）に示すように、高圧放電灯検出端子２Ｂの電圧が０で、高圧放電灯１が装着されていないと判断されたときは（ｔ１）、高圧放電灯点灯回路３は始動パルスの発生を行わずに待機する。待機している間は、高圧放電灯検出端子２Ｂの監視を行い、高圧放電灯検出端子２Ｂの電圧が５Ｖとなったとき高圧放電灯１が装着が確認されると（ｔ２）、高圧放電灯装着作業者の手が高圧放電灯１から十分に離れる時間である、例えば、５秒後（Ｔ）に電力端子２Ｃ、２Ｄに高電圧の始動パルスを与え、高圧放電灯１の絶縁破壊を行い、高圧放電灯１を点灯させる。点灯後は、電力端子２Ｃ、２Ｄにあらかじめ定められたの電流を供給して高圧放電灯１の点灯を行う。
【００１８】
図５（ｂ）に示すように、高圧放電灯検出端子２Ｂの電圧が５Ｖで、高圧放電灯１が装着されていると判断されたときは（ｔ１）、あらかじめ定められた時間後（Ｔ）に高圧放電灯点灯回路３は、電力端子２Ｃ、２Ｄに高電圧の胎動パルスを与え、高圧放電灯１の絶縁破壊を行い、高圧放電灯１を点灯させる。点灯後は、電力端子２Ｃ、２Ｄにあらかじめ定められたの電流を供給して高圧放電灯１の点灯を行う。
【００１９】
以上のように、高圧放電灯１が装着されていないと判断され、高圧放電灯１を始動させずに待機状態のときに、高圧放電灯検出端子２Ｂによりソケット２への高圧放電灯１の装着を検出したときに、あらかじめ定められた時間の経過後に高圧放電灯１を始動させるので、高圧放電灯点灯装置を無負荷動作で長時間動作することがなく、無負荷動作による無駄な電力の消費を防止することができる。
【００２０】
実施の形態３．
図６はこの発明の実施の形態３を示す高圧放電灯点灯装置のブロック図、図７は実施の形態３の高圧放電灯点灯装置の動作を示すタイミングチャートである。図６において、実施の形態１の図１と同じ部分には同一の符号を付し説明を省略する。また、ソケット２に装着される高圧放電灯１、及びソケット２の内部構造及を省略してるが実施の形態１の図１と同じである。
【００２１】
高圧放電灯検出端子２Ａ、２Ｂは電源スイッチ５に直列に接続されており、また、高圧放電灯点灯回路３とソケット２と高圧放電灯１で一組の高圧放電灯点灯装置を構成しており、電源スイッチ５を共通にして複数台の高圧放電灯点灯装置が並列に接続されている。
【００２２】
次に、動作について図６、図７により説明する。図７において、同図（ａ）は電力端子　２Ｃ、２Ｄ間の電圧、同図（ｂ）は高圧放電灯装着検出端子２Ｂの電圧を各々示す。
電源スイッチ５が閉じられたとき、高圧放電灯１が装着されていないときは、高圧放電灯検出端子２Ａ、２Ｂは電源スイッチ５に直列に接続されているので、検出端子２Ａと２Ｂとが短絡状態にならず、高圧放電灯点灯回路３と商用交流電源４とが接続されず、高圧放電灯１の点灯が行われない。
【００２３】
高圧放電灯１が装着されているときは、電源スイッチ５が閉じられると（ｔ１）、図７に示すように検出端子２Ａと２Ｂとが短絡状態になり、高圧放電灯点灯回路３と商用交流電源４とが接続され、あらかじめ定められた時間後（Ｔ）に高圧放電灯点灯回路３は、電力端子２Ｃ、２Ｄに高電圧の胎動パルスを与え、高圧放電灯１の絶縁破壊を行い、高圧放電灯１を点灯させる。点灯後は、電力端子２Ｃ、２Ｄにあらかじめ定められたの電流を供給して高圧放電灯１の点灯を行う。
【００２４】
以上のように、着脱検出手段を、高圧放電灯１が装着されたときに高圧放電灯点灯回路３に電源４を供給するようにし、脱着検出手段は、ソケット２の底部に設けられ、高圧放電灯１の底部電極１Ｂと接触する電力端子２Ｃの導電体２Ｃａに絶縁体２Ｃｂを介して設けられた導電体２Ｃｃが接触することにより短絡する２つの検出端子２Ａ、２Ｂを備え、電源４が２つの検出端子２Ａ、２Ｂを介して高圧放電灯点灯回路３に接続されたので、高圧放電灯１が装着されない限り高圧放電灯点灯回路３と電源４が繋がらないので、無負荷動作による無駄な電力の消費を防止できる。
【００２５】
【発明の効果】
以上のように、この発明によれば、電源に並列に接続された複数の放電灯点灯回路と、この放電灯回路に各々接続された高圧放電灯と、この高圧放電灯のソケットへの着脱を検出する着脱検出手段と、前記高圧放電灯が異常と判定されたときに前記高圧放電灯を消灯し待機状態とする保護手段とを有する高圧放電灯点灯装置において、前記高圧放電灯が異常と判定されて待機状態のときに、前記着脱検出手段によりソケットからの前記高圧放電灯の脱着を検出し、再び前記ソケットへの高圧放電灯の装着を検出したときに、あらかじめ定められた時間の経過後に前記高圧放電灯を始動させるので、複数の高圧放電灯のうち、目的の高圧放電灯だけ交換し、自動的に再点灯するようにできるので、他の高圧放電灯点灯装置を消灯せずに、いつでも高圧放電灯の交換作業を行うことができる。
【図面の簡単な説明】
【図１】この発明の実施の形態１を示す高圧放電灯点灯装置のブロック図である。
【図２】この発明の実施の形態１を示す高圧放電灯点灯装置のソケットの電力端子の側面図、
【図３】この発明の実施の形態１を示す高圧放電灯点灯装置の動作を示すタイミングチャートである。
【図４】この発明の実施の形態２を示す高圧放電灯点灯装置の動作を示すタイミングチャートである。
【図５】この発明の実施の形態２を示す高圧放電灯点灯装置の動作を示すタイミングチャートである。
【図６】この発明の実施の形態３を示す高圧放電灯点灯装置のブロック図である。
【図７】この発明の実施の形態３を示す高圧放電灯点灯装置の動作を示すタイミングチャートである
【符号の説明】
１　高圧放電灯、２　ソケット、２Ａ、２Ｂ　高圧放電灯装着検出端子、２Ｃ、２Ｄ　電力端子、２Ｃａ　導電体、２Ｃｂ　絶縁体、２Ｃｃ　導電体、３　高圧放電灯点灯回路、４　商用交流電源、５　電源スイッチ。
【図１】
2004146119.tif 000003
【図２】
2004146119.tif 000004
【図３】
2004146119.tif 000005
【図４】
2004146119.tif 000006
【図５】
2004146119.tif 000007
【図６】
2004146119.tif 000008
【図７】
2004146119.tif 000009